(57)【特許請求の範囲】
【請求項１】
再生装置と記録装置と制御装置とを備える記録再生制御システムであって、
前記再生装置は、
プログラムと前記プログラムの識別情報が記録された第１の記録媒体を再生する再生手段を備え、
前記記録装置は、
プログラムを第２の記録媒体に記憶させる記録手段を備え、
前記制御装置は、
前記第１の記録媒体に記憶されるプログラムの識別情報を前記再生手段に読み出させ、前記第１の記録媒体に記憶されるプログラムの識別情報を表示する第１のウインドウとプログラムの識別情報を表示する第２のウインドウとを表示手段に表示させ、前記第１のウインドウに表示されるプログラムの識別情報のうち所定の識別情報に対する前記第２のウインドウへのドラッグおよびドロップ操作入力に基づいて前記所定の識別情報を前記第２のウインドウに表示させ、前記第２のウインドウに表示されている識別情報に対応するプログラムを、前記再生手段に前記第１の記録媒体から読み出させ、前記記録手段に前記第２の記録媒体へ記憶させ、前記第１のウインドウに表示されているプログラムの識別情報の表示を前記所定の識別情報の表示と他のプログラムの識別情報の表示とで異ならせると供に、前記第２のウインドウに表示されている前記所定の識別情報の表示を、前記第２の記録媒体に記録済みのプログラムの識別情報の表示と未記録のプログラムの識別情報の表示とで異ならせて前記表示手段に表示させる制御手段を備える
ことを特徴とする記録再生制御システム。
【請求項２】
プログラムと前記プログラムの識別情報が記録された第１の記録媒体を再生手段に再生させ、
前記第１の記録媒体に記憶されるプログラムの識別情報を表示する第１のウインドウとプログラムの識別情報を表示する第２のウインドウとを表示手段に表示させ、
前記第１のウインドウに表示されるプログラムの識別情報のうち所定の識別情報に対する前記第２のウインドウへのドラッグおよびドロップ操作入力に基づいて前記所定の識別情報を前記第２のウインドウに表示させ、
前記第２のウインドウに表示されている識別情報に対応するプログラムを、前記第１の記録媒体から前記再生手段によって読み出させ、
読み出した前記第２のウインドウに表示されている識別情報に対応するプログラムを、前記第２の記録媒体へ記録手段によって記憶させ、
前記第１のウインドウに表示されているプログラムの識別情報の表示を前記所定の識別情報の表示と他のプログラムの識別情報の表示とで異ならせると供に、前記第２のウインドウに表示されている前記所定の識別情報の表示を前記第２の記録媒体に記録済みのプログラムの識別情報の表示と未記録のプログラムの識別情報の表示とで異ならせて前記表示手段に表示させる
ことを特徴とする記録再生制御方法。
【請求項３】
前記第１の記憶媒体を識別する識別情報を前記第１のウインドウに表示させる
ことを特徴とする請求項２に記載の記録再生制御方法。
【請求項４】
前記第２の記録媒体を識別する識別情報を前記第２のウインドウに表示させる
ことを特徴とする請求項２に記載の記録再生制御方法。
【請求項５】
前記第１の記録媒体を識別する識別情報を前記第１のウインドウに、前記第２の記録媒体を識別する識別情報を前記第２のウインドウに表示させ、
前記第１の記録媒体を識別する識別情報に対する前記第２の記録媒体を識別する識別情報へのドラッグおよびドロップ操作入力に基づいて、前記第１のウインドウに表示される全てのプログラムの識別情報を前記第２のウインドウに表示させる
ことを特徴とする請求項２に記載の記録再生制御方法。
【請求項６】
前記第２のウインドウに表示されるプログラムの識別情報に対応するプログラムを前記記録手段に前記第２の記録媒体へ記録させているときは、前記第２のウインドウにプログラムの記録中であることを表示させる
ことを特徴とする請求項２に記載の記録再生制御方法。
【請求項７】
前記第２の記録媒体の総記録可能容量に対する残りの記録可能容量を、前記第２のウインドウに表示させる
ことを特徴とする請求項２に記載の記録再生制御方法。
【請求項８】
第１の記録媒体に記憶されるプログラムの識別情報を再生手段に読み出させ、
前記第１の記録媒体に記憶されるプログラムの識別情報を表示する第１のウインドウとプログラムの識別情報を表示する第２のウインドウとを表示手段に表示させ、
前記第１のウインドウに表示されるプログラムの識別情報のうち所定の識別情報に対する前記第２のウインドウへのドラッグおよびドロップ操作に基づいて前記所定の識別情報を前記第２のウインドウに表示させ、
前記第２のウインドウに表示されている識別情報に対応するプログラムを前記再生手段に前記第１の記録媒体から読み出させ、記録手段に前記第２の記録媒体に記憶させ、
前記第１のウインドウに表示されているプログラムの識別情報の表示を前記所定の識別情報の表示と他のプログラムの識別情報の表示とで異ならせると供に、前記第２のウインドウに表示されている前記所定の識別情報の表示を前記第２の記録媒体に記録済みのプログラムの識別情報の表示と未記録のプログラムの識別情報の表示とで異ならせて前記表示手段に表示させる制御手段を備える
ことを特徴とする記録再生制御装置。
【請求項９】
前記制御手段は、前記第１の記憶媒体を識別する識別情報を前記第１のウインドウに表示させる
ことを特徴とする請求項８に記載の記録再生制御装置。
【請求項１０】
前記制御手段は、前記第２の記録媒体を識別する識別情報を前記第２のウインドウに表示させる
ことを特徴とする請求項８に記載の記録再生制御装置。
【請求項１１】
前記制御手段は、前記第１の記録媒体を識別する識別情報を前記第１のウインドウに、前記第２の記録媒体を識別する識別情報を前記第２のウインドウに表示させ、前記第１の記録媒体を識別する識別情報に対する前記第２の記録媒体を識別する識別情報へのドラッグおよびドロップ操作入力に基づいて、前記第１のウインドウに表示される全てのプログラムの識別情報を前記第２のウインドウに表示させる
ことを特徴とする請求項８に記載の記録再生制御装置。
【請求項１２】
前記制御手段は、前記第２のウインドウに表示されるプログラムの識別情報に対応するプログラムを前記記録装置に前記第２の記録媒体へ記録させているときは、前記第２のウインドウにプログラムの記録中であることを前記表示手段に表示させる
ことを特徴とする請求項８に記載の記録再生制御装置。
【請求項１３】
前記制御手段は、前記第２の記録媒体の総記録可能容量に対する残りの記録可能容量を、前記第２のウインドウに表示させる
ことを特徴とする請求項８に記載の記録再生制御装置。
【発明の詳細な説明】
【０００１】
【発明の属する技術分野】
この発明は、オーディオ情報、ビデオ情報等の情報信号を記録、再生または記録再生する時に、プログラムの選択をユーザが容易に行うことができるようにした記録再生制御システム、記録再生制御方法および記録再生制御装置に関する。
【０００２】
【従来の技術】
情報信号の再生装置、または記録再生装置としては、種々のものが存在している。ディジタルオーディオ信号の場合では、ＣＤ（コンパクトディスク）プレーヤ、ＭＤ（ミニディスク）プレーヤ、ＭＤレコーダ（記録および再生）、ＤＡＴ（ディジタルオーディオテープレコーダ）等が知られている。これらの機器の間で、ディジタルまたはアナログオーディオ信号のダビングを行うことも知られている。ダビングでは、記録すべきオーディオ信号の曲を指定する必要がある。例えばＣＤから再生された曲をＭＤにダビングする時には、ＣＤに記録されている曲の一部、または全部を指定して、ＭＤに記録するようになされる。また、ＣＤチェンジャーの場合では、複数のＣＤに含まれる曲を指定して再生し、これをＭＤに記録するようになされる。さらに、ＭＤチェンジャーのように、複数の記録可能な記録媒体が存在する場合がある。
【０００３】
このように記録しようとする対象の曲が複数存在する時に、所望の曲目を所望の曲順でダビングする方法としては、プレーヤにおいて１曲ずつ、再生すると共に、再生した曲を記録するものがある。他のダビングの方法として、実際の記録に先行して、記録すべき曲目の選択情報をなんらかの記憶手段に記憶し、それに従って、プレーヤが再生動作を行い、一方、再生動作と同期してレコーダが記録動作を行うように、レコーダおよびプレーヤを制御する方法がある。さらに、プレーヤまたはレコーダが複数の媒体の中の一つを選択するチェンジャーの場合では、再生媒体または記録媒体も指定する必要がある。
【０００４】
ダビングを行う時には、いずれの方法においても、ジャケットを見ながら１曲ずつ、曲目の情報を数字等で指定することで曲目の選択がなされる。チェンジャーの場合では、曲目のみならず、媒体の指定も数字等で行う必要がある。また、曲順の指定が必要となる場合もある。このような選択作業は、ダビングの時に限らず、予め再生したい曲目を設定する、プログラム再生時においても同様に行われる。さらに、記録媒体がＭＤのように、曲順が変更可能で、記録後において、曲順を変更する場合では、対象となる曲番号を数字で指定し、さらに、変更後の曲番号も数字で指定するようになされる。
【０００５】
【発明が解決しようとする課題】
従来の曲目あるいは媒体の選択作業、または曲順の変更作業は、曲目、媒体、曲順の情報を１曲ずつ数字などを入力することにより行うものである。そのため、入力作業に時間がかかり、効率的ではない。また、全体の状況を把握することが困難で、選択可能な曲目の全体、または選択済の曲目の全体を知ることができなかった。また、曲順が変更可能な媒体を使用する時に、曲順の変更を行う時にも、対象となる曲番号を数字で指定し、また、変更後の曲番号も数字で指定して入力するために、効率的ではない。
【０００６】
従って、この発明の目的は、曲目等の記録しようとするプログラムの選択作業を効率的に行うことが可能な記録再生制御システム、記録再生制御方法および記録再生制御装置を提供することにある。
【０００７】
【課題を解決するための手段】
上記の課題を達成するために、第１の発明は、再生装置と記録装置と制御装置とを備える記録再生制御システムであって、再生装置は、プログラムとプログラムの識別情報が記録された第１の記録媒体を再生する再生手段を備え、記録装置は、プログラムを第２の記録媒体に記憶させる記録手段を備え、制御装置は、第１の記録媒体に記憶されるプログラムの識別情報を再生手段に読み出させ、第１の記録媒体に記憶されるプログラムの識別情報を表示する第１のウインドウとプログラムの識別情報を表示する第２のウインドウとを表示手段に表示させ、第１のウインドウに表示されるプログラムの識別情報のうち所定の識別情報に対する第２のウインドウへのドラッグおよびドロップ操作入力に基づいて所定の識別情報を第２のウインドウに表示させ、第２のウインドウに表示されている識別情報に対応するプログラムを、再生手段に第１の記録媒体から読み出させ、記録手段に第２の記録媒体へ記憶させ、第１のウインドウに表示されているプログラムの識別情報の表示を所定の識別情報の表示と他のプログラムの識別情報の表示とで異ならせると供に、第２のウインドウに表示されている所定の識別情報の表示を、第２の記録媒体に記録済みのプログラムの識別情報の表示と未記録のプログラムの識別情報の表示とで異ならせて表示手段に表示させる制御手段を備えることを特徴とする記録再生制御システムである。
【０００８】
第２の発明は、プログラムとプログラムの識別情報が記録された第１の記録媒体を再生手段に再生させ、第１の記録媒体に記憶されるプログラムの識別情報を表示する第１のウインドウとプログラムの識別情報を表示する第２のウインドウとを表示手段に表示させ、第１のウインドウに表示されるプログラムの識別情報のうち所定の識別情報に対する第２のウインドウへのドラッグおよびドロップ操作入力に基づいて所定の識別情報を第２のウインドウに表示させ、第２のウインドウに表示されている識別情報に対応するプログラムを、第１の記録媒体から再生手段によって読み出させ、読み出した第２のウインドウに表示されている識別情報に対応するプログラムを、第２の記録媒体へ記録手段によって記憶させ、第１のウインドウに表示されているプログラムの識別情報の表示を所定の識別情報の表示と他のプログラムの識別情報の表示とで異ならせると供に、第２のウインドウに表示されている所定の識別情報の表示を第２の記録媒体に記録済みのプログラムの識別情報の表示と未記録のプログラムの識別情報の表示とで異ならせて表示手段に表示させることを特徴とする記録再生制御方法である。
【０００９】
第３の発明は、第１の記録媒体に記憶されるプログラムの識別情報を再生手段に読み出させ、第１の記録媒体に記憶されるプログラムの識別情報を表示する第１のウインドウとプログラムの識別情報を表示する第２のウインドウとを表示手段に表示させ、第１のウインドウに表示されるプログラムの識別情報のうち所定の識別情報に対する第２のウインドウへのドラッグおよびドロップ操作に基づいて所定の識別情報を第２のウインドウに表示させ、第２のウインドウに表示されている識別情報に対応するプログラムを再生手段に第１の記録媒体から読み出させ、記録手段に第２の記録媒体に記憶させ、第１のウインドウに表示されているプログラムの識別情報の表示を所定の識別情報の表示と他のプログラムの識別情報の表示とで異ならせると供に、第２のウインドウに表示されている所定の識別情報の表示を第２の記録媒体に記録済みのプログラムの識別情報の表示と未記録のプログラムの識別情報の表示とで異ならせて表示手段に表示させる制御手段を備えることを特徴とする記録再生制御装置である。
【００１３】
第１ないし第３の発明では、ＧＵＩによるドラッグおよびドロップ操作によって、第２のウインドウにダビングしたい曲目の識別情報を順番に表示させる操作で、曲目および曲順を指定することができる。従って、数字等の入力によって１曲ずつ選択する作業よりも、操作の効率が向上する。
【００１５】
【発明の実施の形態】
以下、この発明の実施の一形態について、図面を参照しながら説明する。図１は、この発明による記録再生制御装置としてのパソコン１を含むオーディオ再生システムの一例を示す。パソコン１は、ＣＰＵ、ＲＡＭ、ＲＯＭ、ハードディスク、インターフェース、入出力ポート等を含む本体２、ディスプレイ３、キーボード４およびマウス５を備える標準的なものであり、例えばＣＤ−ＲＯＭに格納されたアプリケーションソフトウェアが本体２のハードディスクにインストールされることによって、オーディオ記録再生システムの記録再生制御装置として機能するようになされる。
【００１６】
このパソコン１が制御するディジタルオーディオ信号再生装置としては、２台のＣＤチェンジャー６ａおよび６ｂが使用され、ディジタルオーディオ信号記録装置としては、ＭＤレコーダ７が使用され、さらに、アンプ８が使用される。パソコン１と、これらのＣＤチェンジャー６ａ、６ｂおよびＭＤレコーダ７とは、チェーン状に制御信号伝送路（実線で示す）により結合されている。制御信号伝送路を介して伝送される制御信号によって、各機器の動作が制御される。制御信号は、パソコン１から送出される。但し、各機器の動作は、各機器の操作部或いはリモートコントロールシステムにより制御可能とされている。
【００１７】
パソコン１の信号伝送路とオーディオシステムの信号伝送路との間で、制御信号の形態の違いを吸収するための整合用の変換器１０が設けられている。パソコン１と変換器１０との間は、ＲＳ−２３２Ｃ、ＳＣＳＩのような信号伝送路で結合され、変換器１０からＣＤチェンジャー６ｂをはじめとするオーディオ機器の側は、オーディオ機器制御用の信号伝送路が配されている。
【００１８】
図１において、オーディオ信号（アナログまたはディジタル）の伝送路は、破線で示されている。ＣＤチェンジャー６ａ、６ｂおよびＭＤレコーダ７の再生オーディオ信号がアンプ８に対して入力される。アンプ８で選択されたオーディオ信号がスピーカ９により再生される。
【００１９】
図１は、この発明を適用できるシステムの一例を示すのにすぎない。例えばＡＶコントローラを使用し、このＡＶコントローラに対してスター状に複数のＡＶ機器（オーディオ機器のみならず、ディジタルＶＣＲ等のビデオ機器）が接続され、パソコンがＡＶコントローラと接続されるシステムに対しても、この発明を適用できる。また、パソコン１とＣＤチェンジャー６ａ等のオーディオ機器とのインターフェースとしてＩＥＥＥ１３９４を使用すれば、ディジタル情報信号と制御信号との伝送路を分離する必要がなくなる。
【００２０】
制御信号伝送路は、双方向のもので、この伝送路上には、各機器の動作（記録動作、再生動作等）を制御する動作制御用のデータおよびクロックと共に、プログラム（曲名）およびＣＤ（媒体）と対応する識別情報が伝送される。ＣＤと対応する識別情報は、例えばＣＤに付けられたディスク名である。プログラムと対応する識別情報の典型的な例は、曲名を表す文字情報である。例えばＣＤのリードインエリアを利用してＣＤのディスク名、曲名、演奏者名等の文字情報を記録するＣＤテキスト方式が実用化されている。このディスク名および曲名の文字情報が識別情報として使用される。また、ユーザが各ＣＤに対応してディスク名、曲名等の文字（英語、数字、カタカナ等）を入力し、入力した文字情報を不揮発性メモリに保持する機能（カスタムファイルと称される）も実用化されている。この場合には、入力した文字情報が識別情報として使用される。
【００２１】
曲名のような文字情報は、パソコン１のディスプレイ３に表示する時に、各曲を識別するのに有用なものである。しかしながら、ユーザがＣＤおよび曲を識別でき、選択したＣＤおよび曲を再生するように機器を制御できる情報であれば、文字情報以外の情報を使用できる。ＣＤの場合では、管理用のリードインエリアにＴＯＣデータを記録している。このＴＯＣデータは、そのＣＤの各曲（トラック番号で示される）の開始アドレス（絶対時間）を含む。従って、各曲の演奏時間がＴＯＣの情報から分かる。この曲毎の演奏時間を識別情報として使用できる。また、ＣＤの総演奏時間もＴＯＣの情報から分かる。総演奏時間をＣＤの識別情報として利用できる。通常、互いの演奏時間が全く一致する曲が存在する確率が小さく、また、互いの総演奏時間が全く一致するＣＤが存在する確率が小さいからである。
【００２２】
上述したカスタムファイルは、総演奏時間と入力した文字情報とを対応させてメモリに記憶し、ＣＤが装着された時に、ＴＯＣ情報から得られた総演奏時間に基づいてそのＣＤに対してユーザが付けたディスク名をメモリから読出し、表示するものである。さらに、メモリ量を多くすることで、ディスク名のみならず、各曲の曲名もユーザが入力することができる。この場合、各曲と曲名の対応付けは、上述した曲毎の演奏時間によって可能である。
【００２３】
この発明の一実施形態では、後述するように、パソコン１のディスプレイ３の画面上に第１のウインドウ１１、第２のウインドウ１２および第３のウインドウ１３を表示する。これらのウインドウに対して、上述したようなディスク名、曲名等の識別情報を表示する。そして、ユーザがマウス５をドラッグおよびドロップ操作することによって、ＭＤレコーダにより記録すべきＣＤおよび曲を選択することができる。また、画面中のアイコン、ボタンをクリックすることで、ＣＤチェンジャー６ａ、６ｂ、ＭＤレコーダ７およびアンプ８の動作を制御することが可能とされている。さらに、画面中のアイコン、ボタンをクリックすることで、曲単位の編集（例えば二つの曲の結合等）が可能とされている。
【００２４】
これらのウインドウ機能や、マウス５によるＣＤおよび曲の選択機能、アイコンおよびマウスを使用した動作制御機能などのユーザがディスプレイ３を使う時のグラフィック的な見方と操作方法とは、ＧＵＩ(Graphical User Interface)のソフトウェアによって提供される。ここでは、マウス５を使用しているが、ユーザが操作するデバイスとしては、マウス以外にトラックボール、カーソルキー、回転つまみ等を使用できる。
【００２５】
図２は、システム内の各構成要素のより詳細な構成を示す。図２では、簡単のため、１台のＣＤチェンジャー６が使用され、パソコン１に対してＭＤレコーダ７が接続されている。ＣＤチェンジャー６について説明する。例えば５枚のＣＤの内で、選択された１枚のＣＤ２１がＣＤ回転部に装着され、スピンドルモータ２３により回転される。ＣＤ２１には、複数の曲がピットのパターンとして記録され、また、その最内周位置のリードインエリアには、ＴＯＣが記録されている。ＣＤ２１上の情報をピックアップ２４が光学的に読み取る。ＣＤ２１が装填されると、曲の再生動作に先行してＴＯＣをピックアップ２４が読み取る。ＣＤ２１がＣＤテキストのフォーマットに準じたものである時には、ＴＯＣとしてＣＤテキスト情報が読み取られる。
【００２６】
ピックアップ２４からの信号は、ＲＦアンプ２５に供給される。ＲＦアンプ２５は、ＲＦ信号の処理回路の機能を有し、ＲＦ信号の２値化、トラッキングエラー信号、フォーカスエラー信号の生成等の処理を行う。これらのエラー信号がサーボ回路２６に供給される。サーボ回路２６によって、フォーカスコントロール、トラッキングコントロールの処理がなされ、また、スピンドルモータ２３をＣＬＶ（線速度一定）で回転駆動させるためのサーボが行われる。ピックアップ２４内のフォーカスアクチュエータおよびトラッキングアクチュエータがサーボ回路２６からの信号によってドライブされる。さらに、図示しないが、ピックアップ２４をディスク径方向に送る装置もサーボ回路２６によって制御される。サーボ回路２６と制御部２７とが接続され、制御部２７からの制御信号によってＣＤ２１の所望の曲をアクセス可能とされている。
【００２７】
ＲＦアンプ２５からの２値化された再生信号が信号処理回路２８に供給される。信号処理回路２８は、ＰＬＬ、ＥＦＭ復調回路、エラー訂正回路等を含む。信号処理回路２８からのディジタルオーディオ信号は、Ｄ／Ａ変換器２９でアナログのオーディオ信号に変換され、オーディオ出力端子３０に取り出される。信号処理回路２８におけるメモリ制御等が制御部２７によってなされる。また、信号処理回路２８でサブコードが制御部２７に供給される。
【００２８】
制御部２７には、サブコード処理部が含まれ、サブコード処理部では、サブコードのエラー検出の処理、サブコードのＰ，Ｑチャンネル、Ｒ〜Ｗチャンネルの分離処理、各チャンネルの復号処理等がなされる。サブコードのＰチャンネルは、プログラムの有無に対応した情報を有し、Ｑチャンネルには、ＣＤ上の絶対時間情報、各曲の時間情報、曲番号（トラック番号とも称される）、楽章番号（インデックスとも称される）等の情報が含まれる。従って、Ｑチャンネルに含まれる情報によって、曲の頭だし等の再生動作の制御が可能であり、また、Ｑチャンネルの情報を表示することによって、演奏中の曲が光ディスク上の何番目の曲であるのか、演奏の経過時間や始めからの絶対時間等を視覚的に確認できる。
【００２９】
さらに、リードイン領域のサブコードのＲ〜Ｗチャンネルを使用して、ＣＤに付加的な文字情報を記録する方式（ＣＤテキスト）が実用化されている。このＣＤテキストの場合、６５００字程度の文字情報を記録することが可能とされ、また、ＣＤの付加文字情報としては、８００文字以下であるとし、８カ国の言語に対応できるようにされている。Ｒ〜ＷチャンネルのサブコードをＣＤテキストデコーダによって復号することにより、ＣＤテキストデータを得ることができる。ＴＯＣ情報およびＣＤテキストデータは、制御部２７に接続されるメモリ部３１のＴＯＣメモリおよびＣＤテキストメモリにそれぞれ格納される。この場合、全てのＣＤテキストデータを記憶するようにしても良いが、メモリ部３１の容量の削減のために、ディスクおよび曲の識別のためのＣＤテキストデータ（すなわち、ディスク名、曲名、アーチスト名）のみを記憶するようにしても良い。
【００３０】
ＣＤテキストの種類は、ＣＤテキストフォーマット（モード４）に規定されるＩＤ１により可能である。すなわち、このＩＤ１は、文字列の内容を示している。例えばＩＤ１の（８０ｈ）はディスク名／プログラム名、（８１ｈ）は演奏者／指揮者／オーケストラ名（アーチスト名と総称する）、（８２ｈ）は作詩者、（８３ｈ）は作曲者を示す。
【００３１】
ＣＤチェンジャー６がカスタムファイル機能を有する場合では、メモリ部３１にカスタムファイルメモリ（不揮発性メモリ）が設けられている。そして、ユーザが入力した文字情報（ディスク名および曲名）がＣＤとＣＤ内の各曲と１対１に対応してカスタムファイルメモリに記憶される。この場合、ＴＯＣ情報に基づいたＣＤの総演奏時間と対応してディスク名が記憶され、各曲の演奏時間と対応して曲名が記憶される。
【００３２】
ＣＤに記録されているＴＯＣデータについて説明すると、これは、サブコードのＱチャンネルを使用している。サブコードは、９８ビットを１フレームとするデータ構造を有している。この９８ビット中の７２ビットがデータである。ＴＯＣ中のＰＯＩＮＴが００〜９９の場合では、ＰＭＩＮ、ＰＳＥＣ、ＰＦＲＡＭＥが各曲のスタートアドレス（絶対時間）を示す。ＰＯＩＮＴがＡ０の場合では、ＰＭＩＮがディスクの最初の曲の曲番号を示し、ＰＳＥＣ、ＰＦＲＡＭＥが００とされる。ＰＯＩＮＴがＡ１の場合では、ＰＭＩＮが最後の曲の曲番号を示し、ＰＳＥＣ、ＰＦＲＡＭＥが００とされる。ＰＯＩＮＴがＡ２の場合では、ＰＭＩＮ、ＰＳＥＣ、ＰＦＲＡＭＥがリードアウトが開始するアドレスを示す。このようなＴＯＣデータは、ＣＤの装着時に読み取られ、メモリ部３１のＴＯＣメモリに記憶される。
【００３３】
制御部２７に対してインターフェース３２が接続される。このインターフェース３２から制御信号の入力／出力端子３３が導出されている。制御信号伝送路を介された制御信号が端子３３から制御部３２に供給され、制御部３２によりＣＤチェンジャー６の再生動作の制御がなされる。また、制御部３２を介してＣＤチェンジャー６の状態等を表す信号、並びに識別信号を外部に出力することが可能とされている。識別信号としては、ＣＤテキストデータ、カスタムファイルデータ、または総演奏時間、演奏時間である。さらに、クロック、リセット信号等のデータ伝送に付随する信号も入出力される。一例として、通信は、データ、クロックを使用した同期式通信であり、シリアルデータの形態でデータが転送される。
【００３４】
なお、図では省略されているが、時間情報、文字情報を表示する表示部、操作部等をＣＤチェンジャー６が有している。
【００３５】
ＭＤレコーダ７は、ジャケット４０内に収納され、スピンドルモータ４２によって回転されるＭＯ（光磁気）ディスク（ＭＤ）４１に対して、磁気ヘッド４３ａおよび光学ブロック４３ｂによって、ディジタルオーディオ信号を記録するものである。勿論、ＭＤレコーダ７は、ＭＤ４１を再生できる再生機能を有している。但し、図２に示す構成では、ＭＤレコーダ７の再生機能に関する構成が省略されている。
【００３６】
入力端子４４には、ＣＤチェンジャー６の再生出力端子３０からのアナログオーディオ信号（通常、ステレオ信号）が供給される。このオーディオ信号がＡ／Ｄ変換器４５によってディジタル化される。ディジタルオーディオ信号が信号処理回路４６に供給される。信号処理回路４６は、ディジタルオーディオ信号を圧縮するための変形ＤＣＴ（ＡＴＲＡＣと称される）の処理、エラー訂正符号化の処理、セクタ構造へのフォーマット化の処理、ＥＦＭ変調等の記録用処理を行う。
【００３７】
信号処理回路４６からの記録信号がアンプ４７を介して磁気ヘッド４３ａに供給される。磁気ヘッド４３ａと光学ブロック４３ｂとによって、ＭＤ４１上にディジタルオーディオ信号が記録される。ＭＤ４１には、予めウォブリンググルーブがエンボス加工等により形成されている。ウォブリンググルーブのウォブリング情報として、クロック情報、スピンドルモータ４２のサーボのためのサーボ情報、アドレス情報が挿入されている。グルーブ内にデータが記録される。ウォブリンググルーブの再生信号が光学ブロック４３ｂから制御部４８に供給される。制御部４８では、クロック情報、サーボ情報、アドレス情報を抽出される。なお、光学ブロック４３ｂによりＭＤ４１上のデータが再生される。
【００３８】
制御部４８に対してサーボ回路４９が接続される。サーボ回路４９によって、スピンドルモータ４２に対するサーボが行われる。また、磁気ヘッド４３ａおよび光学ブロック４３ｂからなるピックアップのフォーカス、トラッキングおよびスレッドのサーボがなされる。記録時には、ウォブリング情報に含まれるアドレスを使用して記録すべき位置（アドレス）が指定される。サーボ回路４９は、制御ブロック４８から与えられる指定されたアドレスに記録を行うように、磁気ヘッド４３ａおよび光学ブロック４３ｂの位置を制御する。なお、ＭＤでは、クラスタと称される単位でもってデータの記録／再生がなされる。
【００３９】
また、制御部４８に対してメモリ部５０が接続される。メモリ部５０は、ＭＤ４１の管理用エリアに記録すべき文字等の情報を記憶し、また、管理用エリアから再生された文字等の情報を記憶する。ＭＤ４１の管理用エリアを含むデータフォーマットについては、後述する。
【００４０】
さらに、制御部４８に対して、インターフェース５１および５２が接続される。インターフェース５１は、制御信号入出力端子５３と接続される。この入出力端子５３とＣＤチェンジャー６の制御信号入出力端子３３との間に制御信号伝送路が設けられる。また、インターフェース５２は、制御信号入出力端子５４と接続される。この端子５４は、変換器１０を介してパソコン１の制御信号入力出力端子６１と接続される。
【００４１】
ＭＤレコーダ７の制御部４８とパソコン１との間の制御信号、識別信号等の送受信は、変換器１０およびインターフェース５２を介して行われる。また、変換器１０、インターフェース５２、ＭＤレコーダ７の制御部４８、インターフェース５１、入出力端子５３、３３およびインターフェース３２を経由して、パソコン１とＣＤチェンジャー６の制御部２７との間で、制御信号、識別信号等の送受信がなされる。
【００４２】
パソコン１は、ＣＰＵ６２、ＲＡＭ６３、ＲＯＭ６４、ハードディスクドライブ６５、ＧＵＩ６６およびインターフェース６７により構成される。インターフェース６７から制御信号入出力端子６１が導出され、外部との制御信号、識別信号等の送受信がなされる。ＲＡＭ６３は、作業用メモリであり、ＲＯＭ６４は、プログラム等が格納されたメモリである。
【００４３】
ＧＵＩ６６は、ディスプレイ３、キーボード４およびマウス５のハードウエアと、ディスプレイ３の画面上にウインドウ、アイコン等を表示するグラフィック機能およびこれらをキーボード４またはマウス５により選択したり、決定したりする操作機能を提供するソフトウェアとの両者を含む。図１のシステムでは、パソコン１によって、ＣＤチェンジャー６ａにより再生可能な複数の曲の識別情報を表示するウインドウ１１を提示し、ＣＤチェンジャー６ｂにより再生可能な複数の曲の識別情報を表示するウインドウ１２を提示し、これらの中で所望の曲の識別情報をドラッグおよびドロップによって、ウインドウ１３に移動することによって、ＭＤレコーダ７により記録する曲を選択する。図２のシステムでも同様に、ＣＤチェンジャー６により再生可能な曲の識別情報を表示するウインドウを提示し、この中の所望のものをドラッグおよびドロップにより他のウインドウに移動することによってＭＤレコーダ７によって記録する曲を選択する。
【００４４】
図１のシステムの場合に、パソコン１のディスプレイ３に提示されるウインドウは、概略的に図３に示すようなものである。ウインドウ１１は、ＣＤチェンジャー６ａが再生するＣＤを識別するディスクアイコン１１ａ（図３では、Ｃの識別情報が示されている）と、このＣＤ中の複数の曲の識別情報を上から順に並べた曲名識別表示１１ｂとを含む。ウインドウ１２も同様に、ディスクを識別するディスクアイコン１２ａ（図３では、Ｅの識別情報が示されている）と曲名識別表示１２ｂとを含む。ウインドウ１３も同様に、記録すべきＭＤを識別するディスクアイコン１３ａ（図３では、Ａの識別情報が示されている）と、記録すべき曲を表示する曲名識別表示１３ｂとを含む。
【００４５】
図３に示すように、ウインドウ１２の曲名識別表示１２ｂに表示されている第９番目の曲をＭＤレコーダ７によってＭＤに記録したい場合には、マウス５を操作して、カーソルをその識別情報に位置させ、次にドラッグおよびドロップによりウインドウ１３の曲名識別表示１３ｂの第３番目の位置にこの識別情報を表示させる。この操作で、この曲を記録すべきものとして選択する。次に、ウインドウ１１の曲名識別表示１１ｂに表示されている第８番目の曲をＭＤに記録したい場合には、マウス５を操作して、カーソルをその識別情報に位置させ、次にドラッグおよびドロップによりウインドウ１３の曲名識別表示１３ｂの第４番目の位置にこの識別情報を表示させる。これによって、この曲を選択できる。
【００４６】
１曲ずつの選択に限らず、若し、一つのＣＤの全曲を選択することも可能である。すなわち、ウインドウ１３のディスクアイコン１３ａへ向かって、ディスクアイコン１１ａのディスク識別情報（Ｃ）をドラッグおよびドロップすることによって、このＣＤの全曲をＭＤに記録することができる。ウインドウ１２に含まれる他のＣＤの全曲をＭＤに記録する時も同様の操作がなされる。
【００４７】
このように、記録すべきＣＤおよび曲の選択を非常に容易に行うことができる。また、信号源としてのＣＤに関する表示と、記録されるＭＤおよび曲名に関する表示とが別々のウインドウとして提示されるので、ダビング処理の全体像を明確に把握することができる。
【００４８】
上述したドラッグおよびドロップによってＣＤからＭＤへダビングするＣＤおよび曲の選択操作が終了すると、パソコン１の制御によって選択した曲のダビングが開始される。すなわち、パソコン１は、ＣＤチェンジャー６ａおよび６ｂに対して、選択したＣＤと選択した曲を指定の順序でこれらのＣＤチェンジャー６ａおよび６ｂが再生するように制御信号を送信し、また、ＣＤチェンジャー６ａ、６ｂが再生した曲を記録するようにＭＤレコーダ７に対して制御信号を送信する。
【００４９】
音楽情報のダビングが終了すると、ウインドウ１３に表示されているディスク識別情報および曲名識別情報をＭＤレコーダ７がＭＤの管理用エリアに記録するように、パソコン１からＭＤレコーダ７に対して制御信号および識別情報が制御信号伝送路を介して伝送される。この処理は、選択した曲の記録が完了した時点で、自動的に行われる。それによって、ユーザが記録したＭＤに対してディスク名、曲名を入力する操作を不要とできる。但し、ダビング終了時に、識別情報を記録するかどうかをユーザに問い合わせる表示を提示し、ユーザが選択可能としても良い。
【００５０】
上述したこの発明の一実施形態は、ＣＤからＭＤへのダビングの例であるが、ＭＤのように、曲順の変更が可能な記録媒体の場合では、ＭＤに記録されている全曲の曲名識別情報を図３のウインドウ１３と同様に提示し、曲名識別表示１３ｂの中で曲名識別情報の順序をドラッグおよびドロップにより変更するようにしても良い。この変更した結果は、パソコン１からＭＤレコーダ７に対して伝送され、ＭＤレコーダ７は、管理用エリアに記録されている情報を変更した結果と対応するものに書き換える。管理用の情報のみの操作でよく、ＭＤに記録されている曲のデータを実際に書き換える必要はない。なお、上述したダビングの例においても、ＭＤに選択した曲を記録する前に、ドラッグおよびドロップによってウインドウ１３の曲名識別表示１３ｂの中で曲名識別情報の順序を変更することもできる。
【００５１】
また、この発明は、記録を伴わない再生動作の制御に対しても適用することができる。すなわち、二つ以上の再生機器（ＣＤチェンジャー、ＣＤプレーヤ、ＭＤレコーダ等）からの媒体識別情報および曲名識別情報を二つのウインドウとして提示し、図３の場合と同様に、ドラッグおよびドロップにより各ウインドウから所望の曲を所望の順序で選択する。その後、選択された媒体および曲名を順に再生機器が再生するように制御する。このように、複数の媒体にまたがって、所望の曲を所望の順序で再生する、プログラム再生を容易に制御することができる。さらに、この場合に、ウインドウとして提示されている選択結果をパソコン１が適切なファイル名を付して保存することにより、複数種類のプログラム再生用のファイルを持つことができる。それによって、ユーザが時間帯等の状況に応じて適切なプログラム再生を容易に行うことができる。
【００５２】
上述したように、パソコン１がディスク識別情報および曲名識別情報を含むウインドウを提示するために、予め接続された装置に関するこれらの情報を取得し、ハードディスク内にテーブルの形式或いはデータベースとして保持するようになされる。パソコン１に保持されるデータの形式の一例を図４に示す。
【００５３】
図４において、カテゴリーコードは、機器の種別を表すコード信号である。例えばＣＤプレーヤ、ＭＤレコーダ等の機器の種類を区別すると共に、その機器の機能の程度を表すために、カテゴリーコードが使用される。カテゴリーコードは、各機器の制御部からパソコンに対して伝送される。例えばＣＤプレーヤおよびＣＤチェンジャーの場合では、ＣＤプレーヤであることを示すと共に、ＣＤテキスト機能を有するもの（図４でＣＤ３で示す）、カスタムファイル機能を有するもの（図４でＣＤ２で示す）、テキスト表示機能を何ら有しないもの（図４でＣＤ１で示す）等がカテゴリーコードとして使用される。
【００５４】
また、各機器が記録／再生する媒体の番号が記憶される。図４では、ＣＤチェンジャーの例であるので、各ＣＤチェンジャーが例えば５枚のＣＤを収納できる収納部を備え、この収納部の収納位置と対応する番号が記憶されている。但し、図４では、簡単のため各ＣＤチェンジャーが１枚ずつのＣＤを再生した場合を示している。また、各ＣＤの中のトラック番号が記憶される。このトラック番号は、０００の値から開始して記録されている最後の曲の値まで昇順で付されている。そして、各トラック番号と対応してタイトル、アーチスト情報および時間が記憶されている。
【００５５】
図４の例では、ＣＤ２のカテゴリーコードを有する、すなわち、カスタムファイル機能を有しているＣＤチェンジャーから受け取ったデータが上部に示されている。ユーザがカスタムファイル機能を使用して文字情報を入力した場合には、図４に示すようなディスク名および曲名の情報がＣＤチェンジャーからパソコンに吸い上げられ、記憶される。より具体的には、トラック番号が０００の値の欄には、ＣＤ番号が１であるＣＤのディスク名（ＡＢＣ）が記憶され、このディスクの総演奏時間（５３分２０秒）が時間情報として記憶されている。トラック番号が００１の値の欄には、そこに記録されている曲の曲名（ＸＹＺ）が記憶され、その曲の演奏時間（４分５７秒）が時間情報として記憶されている。以下、トラック番号の０１４まで、同様に曲名および演奏時間の情報が記憶されている。この場合では、ディスク名がディスク識別情報であり、曲名が曲名識別情報である。
【００５６】
図４の例では、ＣＤ１のカテゴリーコードを有する、すなわち、カスタムファイル機能およびＣＤテキスト機能を有しないＣＤチェンジャーから受け取ったデータが中段に示されている。この場合には、パソコン１は、ＴＯＣから得られた時間情報のみをＣＤチェンジャーから受け取り、記憶する。より具体的には、トラック番号が０００の値の欄には、ＣＤ番号が６のディスクの総演奏時間（６分５秒）が記憶され、各トラック番号と対応して、各トラック番号に記録されている曲の演奏時間の情報が記憶される。この場合では、総演奏時間がディスク識別情報であり、各曲の演奏時間が曲名識別情報である。
【００５７】
図４の例では、ＣＤ３のカテゴリーコードを有する、すなわち、ＣＤテキスト機能を有するＣＤチェンジャーから受け取ったデータが下部に示されている。この場合には、パソコン１は、ディスク名、曲名、アーチスト情報をＣＤチェンジャーから受け取り、記憶する。より具体的には、トラック番号が０００の値の欄には、ＣＤ番号が２のディスクのディスク名（ＮＭＯ）が記憶され、時間情報として総演奏時間（５７分５秒）が記憶され、各トラック番号と対応して、各トラック番号に記録されている曲の曲名（例えばＦＧＨ）、アーチスト名（例えばｃｄｅ）および演奏時間の情報（例えば２分５３秒）が記憶される。この場合では、ディスク名がディスク識別情報であり、曲名が曲名識別情報である。アーチスト情報は、ディスクに一つである時には、ディスク識別情報として使用することができ、各曲に付されている場合には、曲名識別情報として使用することができる。なお、図４に示すようなデータは、パソコンに接続された機器がＣＤ等の媒体を再生するごとに自動的に構築されることが好ましい。
【００５８】
図３を参照して説明したウインドウのより具体的な例について説明する。図５は、ウインドウ１１として使用されるウインドウの一例であり、図６は、ウインドウ１２として使用されるウインドウの一例であり、図７は、ウインドウ１３として使用されるウインドウの一例である。これらのウインドウは、図３の場合と同様に、パソコンのディスプレイ上に同時に表示されるものである。
【００５９】
図５に示すウインドウは、ＣＤチェンジャー６ａがＣＤテキスト方式のＣＤを再生し、ＣＤテキスト情報を記憶し、パソコン１がＣＤテキスト情報を受け取って、図４に示すような形式で記憶している場合のものである。図５、図６および図７のウインドウの形式は、互いに類似したものである。ウインドウの曲名識別表示７６が提示され、その左側に各機器の操作ボタンに対応する操作アイコン７１が提示される。操作アイコン７１は、ＣＤプレーヤ、ＭＤレコーダの操作ボタンと同様の形状の複数のボタン表示を含む。
【００６０】
図５に示すウインドウでは、操作アイコンの上側にＣＤ番号が表示される。また、曲名識別表示７６の上側に、機器の種別を示す機器アイコン７３とディスク名７４とアーチスト名７５とが表示される。この図５のウインドウは、図４中のカテゴリーコードがＣＤ３と対応するデータと対応している。
【００６１】
また、図６は、ＣＤチェンジャー６ｂからのＴＯＣに基づいて形成されたデータ（図４中のカテゴリーコードかＣＤ１）により提示されるウインドウの例である。ＣＤチェンジャー６ｂは、ＣＤテキストおよびカスタムファイルの機能を有しないために、各曲と対応して演奏時間が表示されている。
【００６２】
そして、図５および図６のウインドウに表示されている曲名識別情報をドラッグおよびドロップ操作により、図７に示すウインドウ内に順に複写する。図７のＭＤレコーダ７と対応するウインドウは、操作アイコンとして電源ボタン７１ａ、記録ボタン７１ｂが表示されている。また、操作アイコン７１の下側に曲単位の編集を行うための複数の編集用アイコン７１ｃ〜７１ｇも表示されている。
【００６３】
アイコン７１ｃは、曲の移動を指示するアイコンである。アイコン７１ｃによって曲の順序を変更することができる。アイコン７１ｄは、曲の分割を指示するアイコンである。アイコン７１ｅは、二つの曲の結合を指示するアイコンである。アイコン７１ｆは、曲の一部の消去を指示するアイコンである。アイコン７１ｇは、曲の削除（消去）を指示するアイコンである。これらの編集用アイコンを使用して図７のウインドウとして提示されている複数の曲に対して編集作業を行うことができる。
【００６４】
さらに、図５のウインドウ中のトラック番号が００１０の曲の識別情報（ＢＤＹ）をドラッグおよびドロップ操作によって、図７のトラック番号００６の位置に移動した直後の状態が図示されている。この場合では、図５中の選択された曲と対応する位置（行）の表示色が変更されたり、点滅されたりする。それによって、トラック番号００１０）の曲が選択されたことがユーザに明示される。
【００６５】
一方、図７に示すウインドウでは、選択された曲名がトラック番号の００６に表示されるが、その演奏時間は、０分０秒である。すなわち、曲の選択が終了したが、記録が未了であることが示される。さらに、図７において７９で示すように、曲名識別表示の上側に記録可能時間表示がなされる。記録可能時間表示７９は、ＭＤの総記録時間を１００％とし、既に選択され、記録された曲の演奏時間の合計時間の割合をバー状に表示する。このバー状の表示において、色彩、濃度等が異なる部分が設けられる。これは、既に記録した曲に対して、選択した曲を記録した時に増加する部分を意味する。従って、この記録可能時間表示７９によって、曲を選択した時点において、その曲によりどの程度、ＭＤの記録時間が増加するか、またはＭＤの記録可能時間が減少するかが分かる。
【００６６】
ＧＵＩによるドラッグおよびドロップ操作によりある曲の選択作業が終了すると、その曲のダビングの待機状態となる。操作アイコン７１中の記録ボタン７１ｂのクリックまたはポーズボタンのクリックによるポーズ解除の指示を与えることによって、選択された曲をＣＤチェンジャーが再生し、ＭＤレコーダがこの曲を記録する。記録中では、記録ボタン７１ｂが例えば「ＮＯＷ  ＲＥＣ」のように変わり、ダビング動作中であることが示される。１曲ずつの選択、再生、記録の処理に限らず、選択作業が完了した後で、まとめて曲を記録するようにしても良い。
【００６７】
そして、選択した曲を記録した後（１曲の記録または全ての曲の記録後）において、記録の完了に応答して自動的に、ウインドウに表示されているディスク識別情報および曲名識別情報がパソコンからＭＤレコーダに対して制御信号と共に伝送され、ＭＤレコーダによってＭＤの管理用領域に記録される。好ましくは、テキスト情報の記録中である旨の表示がなされる。従って、ダビングした後で、改めて文字等をＭＤに入力する必要はない。さらに、選択した曲に文字情報が付随していない時には、パソコンのキーボード等を操作することによって、曲名の文字を入力し、その後に記録を行うことにより、ＭＤに曲名を記録することができる。ディスク名もパソコンにより入力することができる。
【００６８】
上述したＭＤに関する曲の編集作業、ＭＤへの文字情報の記録は、ＭＤの管理用領域のデータに対する操作によってなされる。ＭＤの管理用領域のデータについて以下に説明する。ＭＤのレコーダブルエリアの内周側には、Ｕ−ＴＯＣを記録するＵ−ＴＯＣエリアが配置され、プログラムエリア内に記録されている各プログラムに係る情報が記録される。また、リードインエリア内には、Ｐ−ＴＯＣがプリピットとして予め記録されている。Ｐ−ＴＯＣには、そのディスクの各曲のスタートアドレスおよびエンドアドレス、曲の名前であるトラックネームや、ディスクの名前であるディスクネーム等が記録されている。
【００６９】
ＭＤに対して記録／再生動作を行うためには、ＭＤに記録されている管理情報（すなわち、Ｐ−ＴＯＣおよびＵ−ＴＯＣ）を予め読出す必要がある。すなわち、これらの管理情報は、ＭＤが装着された際に読出され、例えばＤＲＡＭ等の記憶手段に記憶されて、その後の記録／再生動作において参照される。また、データの記録や消去に応じてＵ−ＴＯＣが編集されて書換えられる。記録／消去動作の度に、編集処理を記憶されているＵ−ＴＯＣに対して行う。そして、編集処理の結果として更新されたＵ−ＴＯＣを、ＭＤのＵ−ＴＯＣエリアに所定のタイミングで書込む。
【００７０】
Ｕ−ＴＯＣは、プログラムエリアに記録されている各プログラムを管理する目録情報である。Ｕ−ＴＯＣエリアは、例えば３２セクタから構成される。以下、セクタ０、セクタ１、セクタ２およびセクタ４について説明する。セクタ３およびセクタ５〜セクタ３２は、拡張領域とされており、現段階では使用されていない。まず、セクタ０においては、各プログラムの起点アドレス、終点アドレス、コピープロテクト情報、エンファシス情報等が管理されている。図８にセクタ０の一構成例を示す。このセクタ０および後述のセクタ１、セクタ２およびセクタ４は、それぞれ２３５２バイトのサイズであり、５８８個の４バイトのスロット単位を並べた構成とされる。この４バイトのスロット単位を区別するために番号０〜５８７が付されている。ヘッダ部に続いて所定のアドレス位置を示すクラスターＨおよびクラスターＬ，ディスクの製造元および型式を示すメーカーコードおよびモデルコード、最初および最後のプログラム番号を示すＦｉｒｓｔＴＮＯおよびＬａｓｔＴＮＯ，セクタ使用状況、ディスクシリアル番号、並びにディスクＩＤ等が順に記録されている。
【００７１】
また、ＭＤ上に生じた欠陥の位置に係る情報を格納するスロットの先頭位置を示すＰ−ＤＦＡ（Pointer for Defective Area) 、スロットの使用状況を示すＰ−ＥＭＰＴＹ（Pointer for Empty slot) ，記録可能領域を管理するスロットの先頭位置をＰ−ＦＲＡ（Pointer for FReely Area)および各プログラム番号に対応したスロットの先頭位置を各々示すＰ−ＴＮＯ１，Ｐ−ＴＮＯ２・・・Ｐ−ＴＮＯ２５５から構成される対応テーブル指示データ部が記録されている。
【００７２】
番号７８から５８７には、ディスク上に生じた欠陥の位置に係る情報を格納する上述したスロットが２５５個設けられている。各スロットは４バイトから構成されており、１スロットにはスタートアドレス、エンドアドレス、トラックモードおよびリンク情報が管理されている。
【００７３】
ところで、この発明を適用することができるＭＤ装置は、記録媒体であるＭＤにデータを必ずしもシーケンシャルに記録しなくても良く、記録媒体上に離散的に記録したデータを正しく再生することも可能なものである。離散的に記録されたデータを正しくつなぎ合わせるために、上述したＵ−ＴＯＣのセクタ０内のＰ−ＦＲＡを参照してなされる処理について説明する。図９は、Ｐ−ＦＲＡに０３ｈ（ｈは、１６進数であることを意味する）が記録されている場合を示す一例である。この場合には、まず、図９Ａに示すようにスロット０３ｈがアクセスされる。このスロット０３ｈに記録されているスタートアドレスおよびエンドアドレスデータは、ディスク上に記録された１つのパーツの起点アドレスと終点アドレスを示す。
【００７４】
スロット０３ｈに記録されているリンク情報は、後続すべきスロットのアドレスを示している。図９Ａにおいてはかかるアドレスが１８ｈである。そこで、図９Ｂに示すようにスロット１８ｈがアクセスされる。スロット１８ｈに記録されているリンク情報が後続すべきスロットのアドレスが１Ｆｈであることを示している（図９Ｂ）ので、さらにスロット１Ｆｈがアクセスされる（図９Ｃ）。そして、スロット１Ｆｈのリンク情報に従って、スロット２Ｂｈがアクセスされ（図９Ｄ），さらにスロット２Ｂｈのリンク情報に従って、スロットＥ３ｈがアクセスされる（図９Ｅ）。このようにして、リンク情報としてｎｕｌｌ（すなわち００ｈ）が現れるまで次々にリンク情報をたどっていく。
【００７５】
このようにリンク情報をたどることにより、ＭＤ上に離散的に記録されたデータのアドレスが順に認識される。光ピックアップを制御して、ＭＤ上のこれらのアドレスに順にアクセスしていくことにより、離散的に記録されたデータをつなげることが可能となる。
【００７６】
上述の説明は、Ｐ−ＦＲＡを参照して離散的に記録されているデータを結合する処理についてのものであるが、Ｐ−ＤＦＡ，Ｐ−ＥＭＰＴＹ，Ｐ−ＴＮＯ１，Ｐ−ＴＮＯ２・・・Ｐ−ＴＮＯ２５５を参照しても同様に離散的に記録されているデータを結合することができる。
【００７７】
次に、Ｕ−ＴＯＣエリアのセクタ１においては、各プログラムのタイトル、ＭＤ１全体のタイトルが管理される。ここで、ＭＤ全体のタイトルとは、記録されるプログラムがオーディオデータの場合にはアルバムタイトル、演奏者名等の情報であり、各プログラムのタイトルとは、曲名等に相当する。図１０にＵ−ＴＯＣセクタ１の構成の一例を示す。
【００７８】
各プログラム毎の文字情報は、対応テーブル指示データＰ−ＴＮＡX （Ｘは１〜２５５）によって指示される文字テーブル部のスロットに記録されており、文字数が多い場合には、リンク情報を用いて複数のスロットを連結して記録を行なっている。また、このＵ−ＴＯＣセクタ１においては、使用できる文字コードが定められているので、主に英字入力されたアルファベットのタイトルが管理される。しかしながら、ユーザよりカタカナ入力が指示された場合には、特殊コードの”＾”を自動発生し、アルファベット文字を囲んでセクタ１にて管理する。かかる場合には、特殊コードの”＾”で囲まれたアルファベットを変換表に基づいてカタカナに変換して表示するようになされる。変換表により、例えば＾ａ＾という文字がカタカナのアに変換される。
【００７９】
さらに、セクタ２の一例を図１１に示す。セクタ２は、プログラムエリア４７に記録されている各プログラム毎の記録日時を管理する。また、セクタ４の一例を図１２に示す。セクタ４で使用するものと定められている文字コードにより、プログラムエリア４７に記録されている各プログラムのタイトルが漢字、ひらがな、カタカナで表記することができるようになされている。
【００８０】
この発明では、記録可能な媒体としてＭＤを使用しているが、これに限らず、他の種類の光ディスク（例えばＤＶＤ（ディジタル・ビデオ・ディスク）、磁気テープ、光テープ、半導体メモリ等を使用しても良い。また、記録媒体に記録されているディジタル情報は、オーディオデータに限らず、ビデオデータ等であっても良い。また、この発明は、制御装置としてパソコンを使用しているが、専用の制御装置として構成するようにしても良い。
【００８１】
【発明の効果】
この発明は、ダビング時に必要とされるプログラムの選択作業を効率よく行うことができる。また、ウインドウとして、ダビング可能なプログラム、選択したプログラムを同時に表示できるので、処理の全体を容易に把握することができ、より効率的な作業が可能となる。
【００８２】
また、ＭＤのような記録順序が変更可能な記録媒体を使用する時には、ウインドウにおけるドラッグおよびドロップ操作によりプログラム順を変更することができ、変更作業を容易になしうる。
【００８３】
さらに、複数の媒体にまたがって選択したプログラムを指定した順序で再生する場合に、再生するプログラムおよび再生順序を指定するデータを容易に作成することが可能となる。
【図面の簡単な説明】
【図１】この発明の一実施形態のシステム全体を示すブロック図である。
【図２】この発明の一実施形態の各構成要素のより詳細な構成を示すブロック図である。
【図３】この発明の一実施形態における曲の選択操作を概略的に説明する略線図である。
【図４】この発明の一実施形態におけるパソコンに記憶されているデータの一例を示す略線図である。
【図５】この発明の一実施形態におけるウインドウのより具体的な例を示す略線図である。
【図６】この発明の一実施形態におけるウインドウのより具体的な例を示す略線図である。
【図７】この発明の一実施形態におけるウインドウのより具体的な例を示す略線図である。
【図８】ＭＤのＵ−ＴＯＣのセクタ０のデータ構造を説明する略線図である。
【図９】Ｕ−ＴＯＣを使用した再生処理の一例を示す略線図である。
【図１０】ＭＤのＵ−ＴＯＣのセクタ１のデータ構造を説明する略線図である。
【図１１】ＭＤのＵ−ＴＯＣのセクタ２のデータ構造を説明する略線図である。
【図１２】ＭＤのＵ−ＴＯＣのセクタ４のデータ構造を説明する略線図である。
【符号の説明】
１・・・パソコン、３・・・ディスプレイ、５・・・マウス、６、６ａ、６ｂ・・・ＣＤチェンジャー、７・・・ＭＤレコーダ、１１、１２、１３・・・ウインドウ、１１ａ、１２ａ、１３ａ・・・ディスクアイコン、１１ｂ、１２ｂ、１３ｂ・・・曲名識別表示、２１・・・ＣＤ、２７・・・ＣＤチェンジャーの制御部、４１・・・ＭＤ、４８・・・ＭＤレコーダの制御部、６２・・・ＣＰＵ、６６・・・ＧＵＩ、７１・・・操作アイコン、７１ｂ・・・記録アイコン、７１ｃ〜７１ｇ・・・編集用アイコン
【図１】
0004078691.tif 000002
【図２】
0004078691.tif 000003
【図３】
0004078691.tif 000004
【図４】
0004078691.tif 000005
【図５】
0004078691.tif 000006
【図６】
0004078691.tif 000007
【図７】
0004078691.tif 000008
【図８】
0004078691.tif 000009
【図９】
0004078691.tif 000010
【図１０】
0004078691.tif 000011
【図１１】
0004078691.tif 000012
【図１２】
0004078691.tif 000013